(57)【要約】      （修正有）【課題】部品点数が少なく組み立てが容易なソファを提供する。【解決手段】ソファ１は、水平方向にのびる脚部１１と脚部１１の後端から斜め上方にのびる支持板１２から成るＬ字状の枠体１０を左右一対で備えており、更に、左右の脚部１１同士を連結する補強板と、左右の脚部１１に固定される座板３０と、左右の支持板１２に固定される背板４０と、座板３０及び背板４０に載せられるクッション５０とを備える。座板３０を支える脚部１２と、背板４０を支える支持板１２をＬ字状の枠体として一体構造にしている。フレームにバネ材を掛け渡す構造と比較して部品点数を抑えることができる。したがって、通信販売や店舗からの搬送が容易になると共に、購入者が作業経験に乏しい場合でも容易に組み立てることができる。【選択図】図１
0003220358.tif 000002
【実用新案登録請求の範囲】
【請求項１】
水平方向にのびる脚部と前記脚部の後端から斜め上方にのびる支持板から成るL字状の枠体を左右一対で備えており、
更に、左右の前記脚部同士を連結する補強板と、左右の前記脚部に固定される座板と、左右の前記支持板に固定される背板と、前記座板及び前記背板に載せられるクッションとを備えることを特徴とするソファ。
【考案の詳細な説明】
【技術分野】
【０００１】
本考案は、部品点数が少なく組み立てが容易なソファに関する。
【背景技術】
【０００２】
一般的なソファは木製や金属製のフレームに、ウェービングベルト、Sバネ、コイルスプリング等のバネ材を掛け渡し、その上にクッション材を載せることで座面や背もたれを構成している。
しかし、部品点数が多いため組み立てが容易ではなく製造コストが嵩むという問題がある。
そこで、例えば特許文献1には、フレームとなる座り部セットと、左右の肘掛けとなる取っ手セットと、背もたれとなるバック・セットと、各セットを固着するための固着用部材からなるソファの組み立て構造が開示されている。
この構造によるとある程度経験を積んだ作業者であれば容易に組み立てられるという利点がある。
【先行技術文献】
【特許文献】
【０００３】
【特許文献１】特開2004−290270号公報
【考案の概要】
【考案が解決しようとする課題】
【０００４】
しかし、上記特許文献1の技術では以下のような問題がある。
近年ソファの構成部品を通信販売で購入したり、店舗で購入して自宅まで搬送したりして、購入者自身が組み立てて完成品のソファに仕上げるケースが増えている。
上記特許文献1の技術では、部品点数が嵩むので通信販売や店舗からの搬送が容易ではないという問題がある。
また、購入者が経験に乏しい場合には組立作業が難しいという問題がある。
【０００５】
本考案は上記問題に鑑み、部品点数が少なく組み立てが容易なソファを提供することを課題とする。
【課題を解決するための手段】
【０００６】
本考案のソファは、水平方向にのびる脚部と前記脚部の後端から斜め上方にのびる支持板から成るL字状の枠体を左右一対で備えており、更に、左右の前記脚部同士を連結する補強板と、左右の前記脚部に固定される座板と、左右の前記支持板に固定される背板と、前記座板及び前記背板に載せられるクッションとを備えることを特徴とする。
【考案の効果】
【０００７】
本考案では座板を支える脚部と、背板を支える支持板をL字状の枠体として一体構造にしている。また、ソファの座面を構成する部材として座板を用いる。従来のようにフレームにバネ材を掛け渡す構造と比較して本考案のソファは部品点数を抑えることができる。したがって、通信販売や店舗からの搬送が容易になると共に、購入者が作業経験に乏しい場合でも容易に組み立てることができる。
【図面の簡単な説明】
【０００８】
【図１】ソファの正面図(a)、斜め前方からみた図(b)及び斜め後方からみた図(c)
【図２】枠体の斜視図
【図３】補強板の斜視図
【図４】枠体と補強板を連結した状態を示す斜視図
【図５】座板の斜視図
【図６】枠体に座板を固定した状態を示す斜視図
【図７】背板の斜視図
【図８】枠体に背板を固定した状態を示す斜視図
【図９】ソファの変形例を示す斜視図
【図１０】ソファの縦断面図
【考案を実施するための形態】
【０００９】
本考案のソファの実施の形態について説明する。
図1に示すようにソファ1は枠体10、補強板20（図4参照）、座板30、背板40及びクッション50から概略構成される。枠体10、補強板20、座板30及び背板40の材質としては合板、無垢材等の木材が挙げられるが、他にも鉄、ステンレス、アルミニウム等の金属やプラスチックでもよい。枠体10、補強板20、座板30及び背板40にオイルやペンキを塗ることにすれば意匠性を向上させることができる。
【００１０】
図2に示すように枠体10は水平方向にのびる脚部11と、脚部11の後端から斜め上方にのびる支持板12から成る側面視L字状の部材である。枠体10は左右一対で配置される。脚部11と支持板12を一体的に成形してもよく、或いは脚部11の後端に支持板12を固定してもよい。固定の方法としては接着剤、ボルト・ナット、釘打ち等の周知の固定手段を用いれば良い。更に脚部11と支持板12とを繋ぐ板状の補強金具13を取り付けるのが好ましい。
【００１１】
図3及び図4に示すように補強板20は左右の脚部11同士を連結するものである。本実施の形態では補強板20は脚部11の内側面にボルト21と丸ナット22で固定される。
図5及び図6に示すように座板30はソファ1の座面を構成する部材である。
本実施の形態の座板30は左右方向にのびる前後2本の第1部材31と、前後方向にのびており前後2本の第1部材31同士を連結する複数本の第2部材32によって構成される。座板30の左右方向の長さは左右の枠体10間の長さよりも長くなっている。脚部11の上方に位置する第2部材32をボルト33で脚部11に固定している。
複数本の第2部材32をすき間が空くように配置することで通気性の確保と軽量化を実現できる。第2部材32の数はソファの寸法や要求強度に応じて適宜変更すればよい。
【００１２】
図7及び図8に示すように背板40は左右の支持板12に固定される部材である。本実施の形態では上下2枚の板材41を支持板12の前面にボルト42で固定している。
なお、第1部材31と第2部材32との固定、第2部材32と脚部11との固定、背板40と支持板12との固定はボルト・ナット、接着剤、釘打ち等の周知の接合手段を用いればよい。
【００１３】
図1に示すようにクッション50は座板30及び背板40に載せられるものであり、その内部にウレタン、羽毛、綿等が収容されている。図1では座板30及び背板40に2つずつクッション50を配置した二人掛けのソファを示しているが、図9に示すように枠体10の寸法を変えずに、補強板20、座板30及び背板40の寸法を小さくすることで一人掛けのソファにすることもできる。
【００１４】
図10に示すように、脚部11の下面11aを水平にし、上面11bを前方から後方に向かって下方に傾斜するように、すなわち脚部11の上下方向の厚さが前方から後方に向かって薄くなるようにテーパーさせるのが好ましい。これにより第2部材32の位置が前方から後方に向かって低くなっていくので、座板30にクッション50を載せた状態で使用者が座った際に、クッション50が前方に滑って位置がずれてしまう事態を防止できる。
座板30はソファの製造工場で予め組み立てておくのが好ましいが、ソファの購入者自身が組み立てることにしてもよい。
【産業上の利用可能性】
【００１５】
本考案は、部品点数が少なく組み立てが容易なソファに関するものであり、産業上の利用可能性を有する。
【符号の説明】
【００１６】
1 ソファ
10 枠体
11 脚部
11a 下面
11b 上面
12 支持板
13 補強金具
20 補強板
21 ボルト
22 丸ナット
30 座板
31 第1部材
32 第2部材
33 ボルト
40 背板
41 板材
42 ボルト
50 クッション
【図１】
0003220358.tif 000003
【図２】
0003220358.tif 000004
【図３】
0003220358.tif 000005
【図４】
0003220358.tif 000006
【図５】
0003220358.tif 000007
【図６】
0003220358.tif 000008
【図７】
0003220358.tif 000009
【図８】
0003220358.tif 000010
【図９】
0003220358.tif 000011
【図１０】
0003220358.tif 000012